【手続補正書】
【提出日】令和2年1月31日(2020.1.31)
【手続補正１】
【補正対象書類名】特許請求の範囲
【補正対象項目名】全文
【補正方法】変更
【補正の内容】
【特許請求の範囲】
【請求項１】
偏光ビームスプリッタであって、
第１の対向面および第２の対向面を有する光学的に透過性のスペーサであって、前記光学的に透過性のスペーサは、前記第１の面に沿った第１の領域と、前記第２の面に沿った第２の領域とを備える、光学的に透過性のスペーサと、
前記第１の領域と前記第２の領域との間の反射防止偏光器と、
前記第１の対向面上の第１の偏光器と、
前記第２の対向面上の第２の偏光器と
を備え、
前記第１の偏光器は、前記第２の偏光器とは異なるタイプの偏光器である、偏光ビームスプリッタ。
【請求項２】
前記光学的に透過性のスペーサは、プレートである、請求項１に記載の偏光ビームスプリッタ。
【請求項３】
前記プレートは、湾曲プレートである、請求項２に記載の偏光ビームスプリッタ。
【請求項４】
前記光学的に透過性のスペーサは、第１の三角形プリズムおよび第２の三角形プリズムを分離し、
前記第１の偏光器は、前記第１の三角形プリズムと前記スペーサの前記第１の対向面との間にあり、
前記第２の偏光器は、前記第２の三角形プリズムと前記スペーサの前記第２の対向面との間にある、
請求項１に記載の偏光ビームスプリッタ。
【請求項５】
前記第１の三角形プリズムおよび前記第２の三角形プリズムは、立方体タイプビームスプリッタを形成する、請求項１に記載の偏光ビームスプリッタ。
【請求項６】
前記光学的に透過性のスペーサの前記第１の領域と前記第２の領域との間の前記反射防止偏光器は、前記第１の対向面と前記第２の対向面との間の吸収性偏光器を備える、請求項１に記載の偏光ビームスプリッタ。
【請求項７】
前記吸収性偏光器は、前記第１の対向面および前記第２の対向面と平行に延在する、請求項６に記載の偏光ビームスプリッタ。
【請求項８】
前記第１の偏光器および前記第２の偏光器は、同一偏光の光を透過させるように構成される、請求項１に記載の偏光ビームスプリッタ。
【請求項９】
前記第１の偏光器は、ワイヤグリッド偏光器、薄膜偏光器、および多層複屈折スタック偏光器から成る群から選択される偏光器である、請求項１に記載の偏光ビームスプリッタ。
【請求項１０】
前記第２の偏光器は、ワイヤグリッド偏光器、薄膜偏光器、および多層複屈折スタック偏光器から成る群から選択される偏光器である、請求項９に記載の偏光ビームスプリッタ。
【請求項１１】
前記光学的に透過性のスペーサは、ガラスまたはポリマーのうちの１つまたはそれを上回るものを含む、請求項１に記載の偏光ビームスプリッタ。
【請求項１２】
ディスプレイシステムであって、
偏光ビームスプリッタであって、
第１の対向面および第２の対向面を有する光学的に透過性のスペーサであって、前記光学的に透過性のスペーサは、前記第１の面に沿った第１の領域と、前記第２の面に沿った第２の領域とを備える、光学的に透過性のスペーサと、
前記第１の領域と前記第２の領域との間の反射防止偏光器と、
前記第１の対向面上の第１の偏光器と、
前記第２の対向面上の第２の偏光器と
を備える、偏光ビームスプリッタと、
光源と、
前記偏光ビームスプリッタ後方から前記偏光ビームスプリッタに入射光を反射させるように構成された反射空間光変調器と、
反射体と
を備え、
前記偏光ビームスプリッタは、
光を前記光源から前記反射体に向かって反射させることと、
前記反射体から前記空間光変調器に光を透過させることと、
前記光が前記偏光ビームスプリッタおよび前記光源から離れるように伝搬するように、光を前記空間光変調器から反射させることと
を行うように構成される、ディスプレイシステム。
【請求項１３】
前記反射体および前記空間光変調器は、前記偏光ビームスプリッタの両側にあり、前記光源は、前記反射体から前記空間光変調器に延在する光学経路に直交する方向において光を前記偏光ビームスプリッタに出力するように位置付けられる、請求項１２に記載のディスプレイシステム。
【請求項１４】
前記偏光ビームスプリッタおよび前記光源から離れるように伝搬する前記光を受信し、前記光を視認者に向かって透過させるように構成される、屈折光学素子をさらに備える、請求項１３に記載のディスプレイシステム。
【請求項１５】
内部結合光学要素と、
外部結合光学要素と
を備える導波管をさらに備え、
前記内部結合光学要素は、前記ビームスプリッタおよび前記光源から離れるように伝搬する前記光を受信および内部結合するように構成され、
前記外部結合光学要素は、前記内部結合された光を視認者に向かって外部結合するように構成される、
請求項１３に記載のディスプレイシステム。
【請求項１６】
前記導波管のスタックをさらに備える、請求項１５に記載のディスプレイシステム。
【請求項１７】
前記スタックの各導波管は、前記導波管のスタックの１つまたはそれを上回る他の導波管と比較して、異なる発散量を伴って光を出力するように構成される、請求項１６に記載のディスプレイシステム。
【請求項１８】
前記光学的に透過性のスペーサは、プレートである、請求項１２に記載のディスプレイシステム。
【請求項１９】
前記光学的に透過性のスペーサは、第１の三角形プリズムおよび第２の三角形プリズムを分離し、
前記第１の偏光器は、前記第１の三角形プリズムと前記スペーサの第１の対向面との間にあり、
前記第２の偏光器は、前記第２の三角形プリズムと前記スペーサの第２の対向面との間にある、
請求項１２に記載のディスプレイシステム。
【請求項２０】
前記光学的に透過性のスペーサの前記第１の領域と前記第２の領域との間の前記反射防止偏光器は、前記第１の対向面と前記第２の対向面との間の吸収性偏光器を備える、請求項１２に記載のディスプレイシステム。
【手続補正２】
【補正対象書類名】明細書
【補正対象項目名】０００６
【補正方法】変更
【補正の内容】
【０００６】
さらに他の実施形態では、ディスプレイシステムが、提供される。ディスプレイシステムは、偏光ビームスプリッタを備える。ビームスプリッタは、第１の対向面および第２の対向面を有する、光学的に透過性のスペーサと、第１の対向面上の第１の偏光器と、第２の対向面上の第２の偏光器とを備える。ディスプレイシステムはまた、光源と、空間光変調器と、反射体とを備える。偏光ビームスプリッタは、光を光源から反射体に向かって反射させ、光を反射体から空間光変調器に透過させ、光が偏光ビームスプリッタおよび光源から離れるように伝搬するように、光を空間光変調器から反射させるように構成される。
本願明細書は、例えば、以下の項目も提供する。
（項目１）
偏光ビームスプリッタであって、
第１の対向面および第２の対向面を有する光学的に透過性のスペーサと、
前記第１の対向面上の第１の偏光器と、
前記第２の対向面上の第２の偏光器と
を備える、偏光ビームスプリッタ。
（項目２）
前記光学的に透過性のスペーサは、プレートである、項目１に記載の偏光ビームスプリッタ。
（項目３）
前記プレートは、湾曲プレートである、項目２に記載の偏光ビームスプリッタ。
（項目４）
前記光学的に透過性のスペーサは、第１の三角形プリズムおよび第２の三角形プリズムを分離し、
前記第１の偏光器は、前記第１の三角形プリズムと前記スペーサの前記第１の対向面との間にあり、
前記第２の偏光器は、前記第２の三角形プリズムと前記スペーサの前記第２の対向面との間にある、
項目１に記載の偏光ビームスプリッタ。
（項目５）
前記第１の三角形プリズムおよび前記第２の三角形プリズムは、立方体タイプビームスプリッタを形成する、項目１に記載の偏光ビームスプリッタ。
（項目６）
前記光学的に透過性のスペーサは、前記第１の対向面と前記第２の対向面との間の吸収性偏光器を備える、項目１に記載の偏光ビームスプリッタ。
（項目７）
前記吸収性偏光器は、前記第１の対向面および前記第２の対向面と平行に延在する、項目６に記載の偏光ビームスプリッタ。
（項目８）
前記第１の偏光器および前記第２の偏光器は、同一偏光の光を透過させるように構成される、項目１に記載の偏光ビームスプリッタ。
（項目９）
前記第１の偏光器は、ワイヤグリッド偏光器、薄膜偏光器、および多層複屈折スタック偏光器から成る群から選択される偏光器である、項目１に記載の偏光ビームスプリッタ。
（項目１０）
前記第２の偏光器は、ワイヤグリッド偏光器、薄膜偏光器、および多層複屈折スタック偏光器から成る群から選択される偏光器である、項目９に記載の偏光ビームスプリッタ。
（項目１１）
前記第１の偏光器および前記第２の偏光器は、同一タイプの偏光器である、項目１０に記載の偏光ビームスプリッタ。
（項目１２）
前記光学的に透過性のスペーサは、ガラスまたはポリマーのうちの１つまたはそれを上回るものを含む、項目１に記載の偏光ビームスプリッタ。
（項目１３）
ディスプレイシステムであって、
偏光ビームスプリッタであって、
第１の対向面および第２の対向面を有する光学的に透過性のスペーサと、
前記第１の対向面上の第１の偏光器と、
前記第２の対向面上の第２の偏光器と
を備える、偏光ビームスプリッタと、
光源と、
空間光変調器と、
反射体と
を備え、前記偏光ビームスプリッタは、
光を前記光源から前記反射体に向かって反射させることと、
前記反射体から前記空間光変調器に光を透過させることと、
前記光が前記偏光ビームスプリッタおよび前記光源から離れるように伝搬するように、光を前記空間光変調器から反射させることと
を行うように構成される、ディスプレイシステム。
（項目１４）
前記反射体および前記空間光変調器は、前記偏光ビームスプリッタの両側にあり、前記光源は、前記反射体から前記空間光変調器に延在する光学経路に直交する方向において光を前記偏光ビームスプリッタに出力するように位置付けられる、項目１３に記載のディスプレイシステム。
（項目１５）
前記偏光ビームスプリッタおよび前記光源から離れるように伝搬する前記光を受信し、前記光を視認者に向かって透過させるように構成される、屈折光学素子をさらに備える、項目１４に記載のディスプレイシステム。
（項目１６）
内部結合光学要素と、
外部結合光学要素と
を備える導波管をさらに備え、
前記内部結合光学要素は、前記ビームスプリッタおよび前記光源から離れるように伝搬する前記光を受信および内部結合するように構成され、
前記外部結合光学要素は、前記内部結合された光を視認者に向かって外部結合するように構成される、
項目１４に記載のディスプレイシステム。
（項目１７）
前記導波管のスタックをさらに備える、項目１６に記載のディスプレイシステム。
（項目１８）
前記スタックの各導波管は、前記導波管のスタックの１つまたはそれを上回る他の導波管と比較して、異なる発散量を伴って光を出力するように構成される、項目１７に記載のディスプレイシステム。
（項目１９）
前記光学的に透過性のスペーサは、プレートである、項目１３に記載のディスプレイシステム。
（項目２０）
前記光学的に透過性のスペーサは、第１の三角形プリズムおよび第２の三角形プリズムを分離し、
前記第１の偏光器は、前記第１の三角形プリズムと前記スペーサの第１の対向面との間にあり、
前記第２の偏光器は、前記第２の三角形プリズムと前記スペーサの第２の対向面との間にある、
項目１３に記載のディスプレイシステム。
（項目２１）
前記光学的に透過性のスペーサは、前記第１の対向面と前記第２の対向面との間の吸収性偏光器を備える、項目１３に記載のディスプレイシステム。